(57)【要約】【課題】  高設定に設定された遊技機にのみ起こり得る獲得枚数で終了する遊技機及び遊技システムを提供する。【解決手段】  遊技者に有利な特別遊技状態に移行する特典が付与される特別役を含む役の抽選を行う役抽選手段と、第１設定値、第１設定値より特別役に当選する確率が高い第２設定値のうち、いずれかの設定値を設定可能な設定値設定手段と、特別役が入賞することで、特別遊技状態を開始し、特別遊技状態における遊技者に払い出される遊技媒体の払出枚数が予め設定された設定枚数を超えることで、特別遊技状態を終了させる遊技状態制御手段と、特別遊技状態の開始から終了までの間に、払出枚数から遊技に投入された遊技媒体の投入枚数を減算した獲得枚数を計数する獲得枚数計数手段と、獲得枚数を設定値によって異なるように制御する獲得枚数制御手段とを備える構成としてある。【選択図】図１６
2020137692.tif 000002
【特許請求の範囲】
【請求項１】
遊技者に有利な特別遊技状態に移行する特典が付与される特別役を含む役の抽選を行う役抽選手段と、
第１設定値、前記第１設定値より前記特別役に当選する確率が高い第２設定値のうち、いずれかの設定値を設定可能な設定値設定手段と、
前記特別役が入賞することで、前記特別遊技状態を開始し、前記特別遊技状態における遊技者に払い出される遊技媒体の払出枚数が予め設定された設定枚数を超えることで、前記特別遊技状態を終了させる遊技状態制御手段と、
前記特別遊技状態の開始から終了までの間に、前記払出枚数から遊技に投入された遊技媒体の投入枚数を減算した獲得枚数を計数する獲得枚数計数手段と、
前記獲得枚数を前記設定値によって異なるように制御する獲得枚数制御手段と、
を備えることを特徴とする遊技機。
【請求項２】
前記獲得枚数制御手段は、
前記設定値設定手段により前記第２設定値が設定されている場合の方が前記第１設定値が設定されている場合よりも、前記獲得枚数が多くなるように制御する
ことを特徴とする請求項１に記載の遊技機。
【請求項３】
前記役には、
前記特別遊技状態中において、前記設定値設定手段により前記第１設定値が設定されている場合には前記役抽選手段によって当選せず、前記設定値設定手段により前記第２設定値が設定されている場合には前記役抽選手段によって当選し得る第１特定役が含まれる
ことを特徴とする請求項１又は２に記載の遊技機。
【請求項４】
前記第１特定役の払出枚数は、
前記特別遊技状態中において、前記役抽選手段によって当選する確率が最も高い役の払出枚数より多く、
前記獲得枚数制御手段は、
前記第１特定役に入賞することで、前記獲得枚数が多くなるように制御する
ことを特徴とする請求項３に記載の遊技機。
【請求項５】
前記役には、
前記特別遊技状態中において、前記設定値設定手段により前記第２設定値が設定されている場合の方が前記第１設定値が設定されている場合よりも、前記役抽選手段によって当選する確率が高くなる第２特定役が含まれる
ことを特徴とする請求項１〜３のいずれか一項に記載の遊技機。
【請求項６】
前記第２特定役の払出枚数は、
前記特別遊技状態中において、前記役抽選手段によって当選する確率が最も高い役の払出枚数より多く、
前記獲得枚数制御手段は、
前記第２特定役に入賞することで、前記獲得枚数が多くなるように制御する
ことを特徴とする請求項５に記載の遊技機。
【請求項７】
請求項１〜６のいずれか一項に記載の遊技機と、
前記特別遊技状態ごとの前記獲得枚数の最高値に関する情報を記憶する第１記憶領域を有し、前記第１記憶領域に記憶された内容を表示する表示装置と、
を備えることを特徴とする遊技システム。
【請求項８】
前記表示装置は、
第２記憶領域を有し、
前記第２記憶領域は、所定の消去条件の成立で更新されていくが、前記第１記憶領域は、前記所定の消去条件では、更新されない
ことを特徴とする請求項７に記載の遊技システム。
【発明の詳細な説明】
【技術分野】
【０００１】
本発明は、遊技機及び遊技システムに関するものである。
【背景技術】
【０００２】
ボーナス状態の開始から終了までの間において、１５枚役のみが２６回成立した場合の払出枚数は、「３９０枚」であるのに対し、１枚役が１回と１５枚役が２５回成立した場合の払出枚数は、「３７６枚」であるなど、遊技者に対し、払い出される払出枚数に「１４枚」の差が生じる遊技機が開示されている（例えば、特許文献１）。
【先行技術文献】
【特許文献】
【０００３】
【特許文献１】特開２０１３−１３５９７１号公報
【発明の概要】
【発明が解決しようとする課題】
【０００４】
しかしながら、従来の遊技機には、改良すべき余地があった。
【課題を解決するための手段】
【０００５】
上記課題を達成するため、本発明の遊技機は、遊技者に有利な特別遊技状態に移行する特典が付与される特別役を含む役の抽選を行う役抽選手段と、第１設定値、第１設定値より特別役に当選する確率が高い第２設定値のうち、いずれかの設定値を設定可能な設定値設定手段と、特別役が入賞することで、特別遊技状態を開始し、特別遊技状態における遊技者に払い出される遊技媒体の払出枚数が予め設定された設定枚数を超えることで、特別遊技状態を終了させる遊技状態制御手段と、特別遊技状態の開始から終了までの間に、払出枚数から遊技に投入された遊技媒体の投入枚数を減算した獲得枚数を計数する獲得枚数計数手段と、獲得枚数を設定値によって異なるように制御する獲得枚数制御手段とを備える構成としてある。
【図面の簡単な説明】
【０００６】
【図１】遊技機の外観を示す正面図である。
【図２】遊技機の内部構成を示す斜視図である。
【図３】表示窓における有効ラインを示す図である。
【図４】遊技機の各リールの図柄配列を示すリール展開図である。
【図５】遊技機の抽選対象１の構成を示す図である。
【図６】第１実施形態におけるボーナス中の小役当選確率を示す図である。
【図７】第２実施形態におけるボーナス中の小役当選確率を示す図である。
【図８】変形例におけるボーナス中の小役当選確率を示す図である。
【図９】遊技機の抽選対象２の構成を示す図である。
【図１０】第３実施形態におけるボーナス中の特別役（ＪＡＣ）当選確率を示す図である。
【図１１】遊技システム全体の概略構成図である。
【図１２】遊技システムの各装置間の信号の流れを示すブロック図である。
【図１３】データ表示器の制御構成を示すブロック図である。
【図１４】データ表示器を示しており、最高獲得枚数及び累計獲得枚数を表示したときの図である。
【図１５】データ表示器を示しており、最高払出枚数及び累計払出枚数を表示したときの図である。
【図１６】データ表示器を示しており、最高獲得枚数の履歴を表示し、（ａ）は過去に高設定が設定されたこと、（ｂ）は過去に高設定が設定されていないことをそれぞれ示す図である。
【図１７】遊技場表示装置を示しており、最高獲得枚数及び過去最高獲得枚数を表示したときの図である。
【発明を実施するための形態】
【０００７】
［第１実施形態］
以下、図面を参照しながら、本発明における遊技機の好ましい実施形態について説明する。
なお、遊技機は、遊技場などに設置されるものであり、様々な種類があるが、本実施形態の一例として、スロットマシン１に適用した場合について説明する。
また、ボーナス中の小役などの当選確率は、理解を容易にするための一例であり、適宜誇張した数値としている。
【０００８】
［スロットマシン］
スロットマシン１は、図１及び図２に示すように、正面側が開口した筐体１ｂと、筐体１ｂの正面側を開閉することができるように覆う前扉１ａとで構成される遊技機である。
スロットマシン１の内部には、ＣＰＵ、ＲＯＭ、ＲＡＭなどが搭載された基板、これを収容する基板ケースなどで構成された制御部１０が設けられており、制御部１０は、以下のようなゲームを制御する。
【０００９】
まず、遊技者が遊技媒体となるメダルをメダル投入口２に投入した後、ゲームの開始にあたり、１ゲームにおけるメダルの賭け数の設定を行う。
このとき、賭け数の設定は、メダル投入口２から直接メダルを投入して設定する方法と、ＢＥＴボタン８を押下して設定する方法とがある。
メダル投入口２からメダルを投入して設定する方法では、投入されたメダルがメダルセレクタ９によって検知されることにより、賭け数が設定されてゲームを開始することが可能な状態になる。
【００１０】
一方、ＢＥＴボタン８を押下して設定する方法では、１ゲームに賭けるメダルの取得先をクレジットメダルから指定するための操作手段であるＢＥＴボタン８を押下することで、賭け数が設定されてゲームを開始することが可能な状態になる。
ここでＢＥＴボタン８には、一回の押下で最大賭け数（３枚）を設定できるＭＡＸＢＥＴボタン８ａと、一回の押下で最小賭け数（１枚）を設定できる１ＢＥＴボタン８ｂとがある。
すなわち、本実施形態のスロットマシン１では、１ゲームに対して最大３枚賭けることができ、最大３枚の賭け数を超えない範囲で、１枚賭け、２枚賭け、３枚賭けのいずれの賭け数でもゲームを開始することができる。
制御部１０は、このようなゲームを開始することが可能な状態で、スタートレバー３が操作されると、スタート信号が入力され、各リール４１ａ〜４１ｃを回転させることができる。
【００１１】
このとき、制御部１０は、役抽選手段として機能し、スタートレバー３の操作とともに抽選対象となる「ハズレ」を含む複数の入賞役の中から、１ゲームごとに内部抽選を行うことになる。
入賞役には、例えば、遊技媒体は付与されないが、ボーナス状態に移行する特典が付与される「特別役」であるビックボーナス「ＢＢ」及びレギュラーボーナス「ＲＢ」と、数枚のメダルが付与される「小役」と、遊技媒体は付与されないが、次回の遊技において、メダルを投入することなくゲームが可能な「再遊技役」などがある。
そして、各リール４１ａ〜４１ｃに対応した各停止ボタン５ａ〜５ｃを任意のタイミングで押下することで、回転するリール４１が停止し、表示窓２ｂに表示される入賞役の図柄の組合せが、図３に示すような有効ライン１〜５に沿って表示されることで、入賞を決定するようになっている。
【００１２】
また、有効ライン１〜５に沿って表示される図柄は、図４に示すように、スロットマシン１内部に配設された３つのリール４１（左リール４１ａ、中リール４１ｂ、右リール４１ｃ）の外周面に表示された複数の図柄で、この図柄が等間隔に各リール４１ａ〜４１ｃに２１個ずつ表示されている。
【００１３】
図５に本実施形態における抽選対象１の入賞役と、その入賞役に対応する図柄の組合せと、遊技者に付与される特典及び払出枚数との関係を示す。
【００１４】
ビックボーナス「ＢＢ」又はレギュラーボーナス「ＲＢ」は、それぞれ対応する図柄の組合せが「赤７／白７・赤７／白７・赤７／白７」、「赤７／白７・赤７／白７・ＢＡＲ」からなる。
このような「特別役」となる組合せが表示窓２ｂの有効ライン１〜５上に沿って表示されることにより、ビックボーナス「ＢＢ」又はレギュラーボーナス「ＲＢ」の入賞となり、遊技者にとって有利な特別遊技状態に移行し、ボーナス状態が開始される。
なお、内部抽選において、「特別役」に当選すると、有効ライン１〜５上に表示されるまで、その当選内容を次回のゲームまで持ち越されるようになっている。
【００１５】
また、スロットマシン１の遊技状態としては、遊技媒体であるメダルを所定の割合で費やす通常遊技状態と、通常遊技状態よりメダルの増加が期待でき遊技者にとって有利な遊技状態である特別遊技状態などがある。
特別遊技状態は、ビックボーナス「ＢＢ」又はレギュラーボーナス「ＲＢ」などのボーナス状態であり、このボーナス中は、通常遊技状態より、内部的に所定の小役の当選確率が飛躍的に高まることから小役の入賞が連続することとなり、短い遊技期間で多くのメダルが集中して獲得されることになる。
【００１６】
また、特別遊技状態は、払出枚数によって管理され、ボーナス中に遊技者に払い出されるメダルの払出枚数が予め設定された設定枚数を超えることでボーナス状態から通常遊技状態に移行し、ボーナス状態が終了する。
例えば、ビックボーナス「ＢＢ」の場合は、２３９枚を超える払い出しで終了し、レギュラーボーナス「ＲＢ」の場合は、１１９枚を超える払い出しで終了する。
すなわち、制御部１０は、遊技状態制御手段として機能し、「特別役」が入賞することで特別遊技状態を開始し、特別遊技状態における遊技者に払い出されるメダルの払出枚数が予め設定された設定枚数（例えば、２３９枚又は１１９枚）を超えることで特別遊技状態を終了するように制御する。
【００１７】
「小役」は、対応する図柄の組合せの違いにより、本実施形態では、小役１「スイカ」、小役２「ベル」、小役３「チェリー」及び小役４「第１特定役」の４種類が設けられている。
「スイカ」は、対応する図柄の組合せが「スイカ・スイカ・スイカ」からなり、この図柄の組合せが有効ライン１〜５上に表示されることで入賞し、１５枚の払い出しが行われる。
「ベル」は、対応する図柄の組合せが「ベル・ベル・ベル」からなり、この図柄の組合せが有効ライン１〜５上に表示されることで入賞し、１２枚の払い出しが行われる。
「チェリー」は、対応する図柄の組合せが「チェリー・ＡＮＹ・ＡＮＹ」からなり、「ＡＮＹ」は、中リール４１ｂ及び右リール４１ｃに表された全ての図柄が対象となることを意味するため、「チェリー」は、左リール４１ａに「チェリー」が表示されることで、事実上入賞し、２枚の払い出しが行われる。
「第１特定役」は、対応する図柄の組合せが「ＢＡＲ・リプレイ・ＢＡＲ」からなり、この図柄の組合せが有効ライン１〜５上に表示されることで入賞し、１３枚の払い出しが行われる。
また、「第１特定役」は、スロットマシン１に設定された設定値が高設定の場合のみ、当選することができる小役となっており、詳細については、後述する。
【００１８】
「再遊技役」は、対応する図柄の組合せが「リプレイ・リプレイ・リプレイ」からなり、この図柄の組合せが有効ライン１〜５上に表示されることで入賞となり、メダルの払い出しはないが次回のゲームにおいてメダルを投入することなく再遊技が可能な役となっている。
【００１９】
次に、スロットマシン１に設定される設定値について説明する。
スロットマシン１は、ボーナス状態に移行する当選確率の異なる１〜６の６段階の設定値を設定することができる。
この１〜６の設定値のいずれかを設定することで、その日のスロットマシン１のビックボーナス「ＢＢ」、レギュラーボーナス「ＲＢ」などが当選する確率が決定される。
すなわち、１〜６の設定値のうち、設定値が大きい方が、ビックボーナス「ＢＢ」、レギュラーボーナス「ＲＢ」などに当選しやすく、逆に、設定値が小さい方が当選しにくいことになる。
本実施形態では、設定値が１〜４を低設定値（本発明の第１設定値）、設定値が５及び６を高設定値（本発明の第２設定値）として説明する。
なお、設定値１〜３を低設定値（第１設定値）、設定値４〜６を高設定値（第２設定値）又は設定値１〜５を低設定値（第１設定値）、設定値６のみを高設定値（第２設定値）とするなど適宜、低設定値及び高設定値に該当する範囲を変更することもできる。
【００２０】
また、上記のような設定値の設定は、制御部１０と、専用の鍵である設定キー（不図示）と、設定キースイッチ１５とが設定値設定手段として機能することにより、実現される。
具体的には、遊技場の管理者などが、設定キーをスロットマシン１の電源部に設けられた設定キースイッチ１５に挿入し、回転操作することで、スロットマシン１の設定値を設定することが可能な状態となる。
そして、この状態のときに、設定値変更スイッチ（不図示）を操作することで、所望の設定値を設定することができ、制御部１０は、この設定された設定値をＲＡＭなどに記憶し、記憶した設定値に基づいて、ゲームを制御することになる。
【００２１】
ここで、図６を参照しながらボーナス中における各小役の当選確率の一例について説明する。
なお、説明の便宜上、ビックボーナス「ＢＢ」、レギュラーボーナス「ＲＢ」ともにボーナス中の各小役の当選確率は、図６に示すものと同一のものとして説明するが、ビックボーナス「ＢＢ」、レギュラーボーナス「ＲＢ」それぞれのボーナス中における各小役の当選確率を異ならせるようにしても良い。
【００２２】
制御部１０は、ボーナス中において、小役１「スイカ」、小役２「ベル」及び小役３「チェリー」のいずれも、設定値に低設定又は高設定が設定された場合に関わらず、同じ当選確率で内部抽選を行っている。
しかし、小役４「第１特定役」においては、設定値が高設定の場合のみ、当選する小役であり、ボーナス中の当選確率は、１／１９となっている。
【００２３】
このような設定値が高設定の場合のみ、当選する小役を入賞役に含めることで、遊技者に対し、スロットマシン１に設定されている設定値を示唆することが可能になる。
具体的には、上述した通り、「特別役」に入賞すると、通常遊技状態からボーナス状態に移行され、ボーナス中に払出枚数が予め設定された設定枚数（例えば、２３９枚又は１１９枚）を超えることで、ボーナス状態が終了するように制御される。
【００２４】
また、小役２「ベル」のボーナス中の当選確率は、１／１．２であるため、入賞役に小役４「第１特定役」が含まれない低設定では、各停止ボタン５ａ〜５ｃをどのようなタイミングで押下しても、高い確率で小役２「ベル」が入賞することになる。
そのため、例えば、低設定が設定されているスロットマシン１では、ビックボーナス「ＢＢ」中に、１２枚の小役２「ベル」に２０回入賞することになるため、遊技者に対し払い出される払出枚数が２４０枚（１２×２０＝２４０）となり、設定枚数である２３９枚を超え、ビックボーナスは終了することになる。
また、このときの獲得枚数は、１ゲームに対しての賭け数が、例えば、２枚賭けのとき、４０枚（２×２０＝４０）を払出枚数から減算した２００枚（２４０−４０＝２００）となる。
【００２５】
一方、入賞役に小役４「第１特定役」が含まれる高設定では、ボーナス状態の終了条件となる設定枚数を超える前に、小役２「ベル」の他に、小役４「第１特定役」」に入賞する可能性がある。
そのため、例えば、ビックボーナス「ＢＢ」中に、払出枚数が１２枚の小役２「ベル」に１９回と、払出枚数が１３枚の小役４「特定役」に１回それぞれ入賞すると、払出枚数が２４１枚（１２×１９＋１３×１＝２４１）となり、設定枚数である２３９枚を超え、ビックボーナスは終了することになる。
また、このときの獲得枚数は、１ゲームに対しての賭け数が、例えば、２枚賭けのとき、４０枚（２×２０＝４０）を払出枚数から減算した２０１枚（２４１−４０＝２０１）となる。
【００２６】
すなわち、制御部１０は、獲得枚数計数手段として機能することにより、特別遊技状態中に、払出枚数から遊技に投入された遊技媒体の投入枚数を減算した獲得枚数を計数する。
また、制御部１０は、獲得枚数制御手段として機能することにより、特別遊技状態中に、高設定が設定された場合の方が、低設定に設定された場合より、獲得枚数を多くなるように制御する。
その結果、遊技者は、例えば、データ表示器２０などの表示装置に表示された獲得枚数の最高値を確認することで、スロットマシン１に設定された設定値を推測することが可能になる。
また、ボーナス中に小役４「第１特定役」に対応する図柄の組合せである「ＢＡＲ・リプレイ・ＢＡＲ」が有効ライン１〜５上に表示されれば、遊技者は、ゲームをしているスロットマシン１が高設定であることを認識することができるので、「特別役」の入賞を望みながら遊技を継続するため、さらに遊技に対する興趣が向上する。
なお、ボーナス中において、低設定が設定されている場合にだけに、起こり得る獲得枚数としても良く、その場合も、低設定の場合の方が高設定の場合よりも、獲得枚数を多くし、データ表示器２０などの表示装置に獲得枚数の最高値を表示させることで、設定値を示唆することができる。
【００２７】
［第２実施形態］
次に、第２実施形態について説明する。
なお、以下の説明では、既に説明した第１実施形態におけるスロットマシン１と同様の構成となる説明を省略する。
【００２８】
第２実施形態におけるスロットマシン１は、第１実施形態と、以下の点において相違する。
第１実施形態では、低設定が設定されている場合には、当選せずに、高設定が設定されている場合にだけ当選する小役４「第１特定役」を入賞役に含めることで、設定値によって獲得枚数を異ならせることを実現していた。
第２実施形態では、高設定が設定されている場合の方が、低設定が設定されている場合よりも、当選する確率が高くなる小役１「第２特定役」を入賞役に含めることで、設定値によって獲得枚数を異ならせることを実現している。
【００２９】
具体的には、本実施形態では、図７に示すように、ボーナス中の小役１「スイカ」（本発明の第２特定役）について、設定値に低設定が設定された場合と、高設定が設定された場合とで、異なる当選確率で内部抽選が行われる点で、第１実施形態とは、相違する。
低設定が設定された場合の当選確率は、１／１０２４であるのに対し、高設定が設定された場合の当選確率は、１／１６であり、高設定が設定された場合の方が、ボーナス中に小役１「スイカ」に当選する確率が高くなる。
【００３０】
そのため、例えば、低設定が設定されたスロットマシン１では、第１実施形態と同様、ビックボーナス「ＢＢ」中に、小役２「ベル」に２０回入賞すると、払出枚数が２４０枚（１２×２０＝２４０）となり、設定枚数を超えるため、ビックボーナスは終了することになる。
また、このときの獲得枚数は、１ゲームに対しての賭け数が、例えば、２枚賭けのとき、４０枚（２×２０＝４０）を払出枚数から減算した２００枚（２４０−４０＝２００）となる。
【００３１】
一方、高設定が設定された場合は、ボーナス状態の終了条件となる設定枚数を超える前に、小役２「ベル」の他に、小役１「スイカ」に入賞する可能性がある。
そのため、ビックボーナス「ＢＢ」で、払出枚数が１２枚の小役２「ベル」に１９回と、払出枚数が１５枚の小役１「スイカ」に１回それぞれ入賞すると、払出枚数が２４３枚（１２×１９＋１５×１＝２４３）となり、設定枚数である２３９枚を超えるため、ビックボーナスは終了することになる。
また、このときの獲得枚数は、１ゲームに対しての賭け数が、例えば、２枚賭けのとき、４０枚（２×２０＝４０）を払出枚数から減算した２０３枚（２４３−４０＝２０３）となる。
【００３２】
すなわち、制御部１０は、特別遊技状態中に、獲得枚数制御手段として機能することで、高設定の設定されている場合の方が、低設定に設定されている場合より、当選する確率が高くなる小役１「第２特定役」（スイカ）を入賞役に含め、高設定が設定された場合の方が、低設定に設定された場合より、獲得枚数を多くなるように制御する。
その結果、遊技者は、スロットマシン１に設定されている設定値を推測することが出来る機会が増えるため、遊技意欲を失われることなくゲームを楽しむことができる。
また、ボーナス中に小役１「第２特定役」に対応する図柄の組合せである「スイカ・スイカ・スイカ」が有効ライン１〜５上に表示されれば、遊技者は、ゲームをしているスロットマシン１が高設定であるかもしれないという期待感を持ちながらゲームを行え、遊技に対する興趣が向上する。
また、ビックボーナス「ＢＢ」又はレギュラーボーナス「ＲＢ」などが入賞したときに、多くのメダルを獲得できるだけでなく、スロットマシン１に設定されている設定値を示唆することが可能なゲーム性が加わり、遊技者に対して、より効果的に遊技の興趣を高めることができる。
【００３３】
なお、制御部１０は、図８に示すように、第１実施形態で説明した高設定が設定されている場合にだけ当選する小役（第１特定役）と、高設定が設定されている場合の方が当選する確率が高くなる小役（第２特定役）とをともに入賞役に含めることで、設定値によって獲得枚数を異ならせるように制御しても良い。
この場合、制御部１０は、高設定が設定されている場合と、低設定が設定されている場合との、獲得枚数の差をさらに大きく制御することができる。
【００３４】
［第３実施形態］
次に、第３実施形態について説明する。
なお、以下の説明では、既に説明した第１実施形態及び第２実施形態におけるスロットマシン１と同様の構成となる説明を省略する。
【００３５】
第３実施形態におけるスロットマシン１は、第１実施形態及び第２実施形態と、以下の点において相違する。
第１実施形態及び第２実施形態では、ビックボーナス「ＢＢ」又はレギュラーボーナス「ＲＢ」に入賞して移行するボーナス状態で当選する小役により、設定値によって獲得枚数を異ならせることを実現していた。
第３実施形態では、ビックボーナス「ＢＢ」又はレギュラーボーナス「ＲＢ」に入賞して移行する通常のボーナス状態に加え、ビックボーナス「ＢＢ」中に２種類のジャックゲームを実施することで、設定値によって獲得枚数を異ならせることを実現するものである。
【００３６】
具体的には、ジャックゲームは、ビックボーナス「ＢＢ」中に、例えば、通常遊技状態では入賞することはない対応する図柄の組合せ「赤７／白７・リプレイ・リプレイ」が有効ライン１〜５上に沿って表示されることで、開始する。
なお、このときジャックゲームの入賞図柄である「赤・リプレイ・リプレイ」又は「白・リプレイ・リプレイ」のいずれが内部当選したのか、例えば、スピーカなどによって、それぞれ異なるメロディやメッセージ音などで報知することになる。
また、ジャックゲームの終了条件は、１枚賭けのゲームが所定回数（例えば、１２回）行われるか、又は所定回数（例えば、８回）の「再遊技役」を入賞するかによって終了し、その後は、上述した通常のボーナス状態に戻り、以降、ビックボーナス「ＢＢ」の終了条件である２３９枚の払い出しが行われるまで、通常のボーナス状態とジャックゲームとが繰り返し行われることになる。
従って、遊技者は、最終的にビックボーナス「ＢＢ」が終了するまでの間に、通常遊技状態では得られない大量のメダルの払い出しを獲得できることになる。
【００３７】
また、本実施形態におけるジャックゲームは、払出枚数に差のある強ジャックイン「強ＪＡＣ」と弱ジャックイン「弱ＪＡＣ」の２種類を設ける構成としてあり、以下、この２種類のジャックインについて説明する
図９の抽選対象２の構成は、図５に示す抽選対象１の構成の入賞役に、強ジャックイン「強ＪＡＣ」及び弱ジャックイン「弱ＪＡＣ」を追加した図である。
強ジャックイン「強ＪＡＣ」は、対応する図柄の組合せである「赤７・リプレイ・リプレイ」が有効ライン１〜５上に沿って表示されることで入賞となり、ジャックゲームが開始される。
また、強ジャックイン「強ＪＡＣ」に入賞して開始するジャックゲームでは、「再遊技役」に入賞したとき、例えば、１５枚の払い出しが行われる。
そのため、強ジャックイン「強ＪＡＣ」では、例えば、１枚賭けで１５枚の払い出しが８回行われると、払出枚数が１２０（１５×８＝１２０）枚となり、投入枚数が８（１×８＝８）枚となる。
従って、獲得枚数は、払出枚数から投入枚数を減算した１１２（１２０−８＝１１２）枚となる。
【００３８】
一方、弱ジャックイン「弱ＪＡＣ」は、対応する図柄の組合せである「白７・リプレイ・リプレイ」が有効ライン１〜５上に沿って表示されることで入賞となり、ジャックゲームが開始される。
また、弱ジャックイン「弱ＪＡＣ」に入賞して開始するジャックゲームでは、「再遊技役」に入賞したとき、強ジャックイン「強ＪＡＣ」とは異なり、例えば、１４枚の払い出しが行われる。
そのため、弱ジャックイン「弱ＪＡＣ」では、例えば、１枚賭けで１４枚の払い出しが８回行われると、払出枚数が１１２（１４×８＝１１２）枚となり、投入枚数が８（１×８＝８）枚となる。
従って、獲得枚数は、払出枚数から投入枚数を減算した１０４（１１２−８＝１０４）枚となる。
このように、強ジャックイン「強ＪＡＣ」と、弱ジャックイン「弱ＪＡＣ」とでは、「再遊技役」の払出枚数が異なるため、結果的に、ボーナス中に遊技者が獲得する獲得枚数は、弱ジャックイン「弱ＪＡＣ」よりも強ジャックイン「強ＪＡＣ」に入賞した方が多くなる。
【００３９】
ここで、ボーナス中における特別役であるＪＡＣの当選確率について説明する。
図１０は、ボーナス中におけるＪＡＣの当選確率の一例を示す図である。
本実施形態では、図１０に示すように、強ジャックイン「強ＪＡＣ」において、設定値に低設定が設定された場合と、高設定が設定された場合とで、異なる当選確率で内部抽選が行われる。
具体的には、弱ジャックイン「弱ＪＡＣ」は、設定されている設定値に依存せず、いずれの設定値の場合でも一律に当選確率は、１／２．１であるのに対し、強ジャックイン「強ＪＡＣ」は、低設定が設定された場合の当選確率は、１／５０であるのに対し、高設定が設定された場合の当選確率は、１／２．１であり、高設定が設定された場合の方が、ボーナス中に強ジャックイン「強ＪＡＣ」に当選する確率が高くなる。
【００４０】
このように第３実施形態では、高設定が設定された場合の方が、低設定が設定された場合より、獲得枚数が多い強ジャックイン「強ＪＡＣ」に当選する確率を高くして、設定値によって獲得枚数を異ならせることを実現している。
また、このとき制御部１０は、ボーナス中に払出枚数が予め設定された設定枚数（例えば、２３９枚）を超えることで、ボーナス状態を終了するように制御し、さらに、獲得枚数の異なる２つのジャックインの当選確率を異ならせ、高設定が設定されている場合の方が、低設定に設定されている場合より、獲得枚数が多くなるように制御する。
【００４１】
すなわち、制御部１０は、役抽選手段、獲得枚数制御手段として機能することで、特別遊技状態中において、高設定に設定されている場合の方が、低設定に設定されている場合よりも、弱ジャックイン「弱ＪＡＣ」より獲得枚数の多い強ジャックイン「強ＪＡＣ」に当選する確率を高くすることで、結果的に高設定が設定されている場合に、獲得枚数が多くなるように制御する。
【００４２】
なお、強ジャックイン「強ＪＡＣ」と弱ジャックイン「弱ＪＡＣ」において、遊技者に払い出される払出枚数を同一にして、行われるゲームの上限回数に差を持たせる構成として、高設定が設定されている場合に、獲得枚数が多くなるように制御するようにしても良い。
例えば、強ジャックイン「強ＪＡＣ」が当選した場合は、ゲームの上限回数を１０回とし、弱ジャックイン「弱ＪＡＣ」が当選した場合は、ゲームの上限回数を６回とするなど、ゲームの上限回数を異ならせることにより、弱ジャックイン「弱ＪＡＣ」より強ジャックイン「強ＪＡＣ」に当選した方が、獲得枚数が多くなるように制御する。
そして、制御部１０は、高設定が設定された場合の方が、低設定が設定された場合よりも、強ジャックイン「強ＪＡＣ」に当選する確率を高くして、設定値によって獲得枚数を異ならせるように制御しても良い。
【００４３】
［その他の変形例］
以下、その他の変形例について説明する。
なお、以下の説明では、既に説明した第１実施形態〜第３実施形態におけるスロットマシン１と同様の構成となる説明を省略する。
【００４４】
その他の変形例におけるスロットマシン１は、ボーナスの種類としてレギュラーボーナス「ＲＢ」のみを搭載する点において相違する。
具体的には、その他の変形例におけるスロットマシン１は、図５に示すようにレギュラーボーナス「ＲＢ」に対応する図柄の組合せである「赤７／白７・赤７／白７・ＢＡＲ」が有効ライン１〜５上に表示されれば、ボーナス状態が開始され、このボーナス状態は、ゲームが所定回数（例えば、８回）行われることによって終了する。
また、レギュラーボーナス中に当選する小役としては、例えば、払出枚数が１４枚の小役と、払出枚数が１５枚の小役とがある。
払出枚数が１４枚の小役は、設定値が低設定（例えば、設定１）のときのボーナス中の当選確率が１／１で、低設定のときには、必ず当選する小役であり、設定値が高設定（例えば、設定６）のときのボーナス中の当選確率は、１／１．０１である。
払出枚数が１５枚の小役は、第１実施形態と同様、高設定のときにのみに当選し、設定値が高設定のときのボーナス中の当選確率は、１／１００である。
【００４５】
そのため、例えば、低設定が設定されているスロットマシン１では、レギュラーボーナス「ＲＢ」中に、１４枚の小役に８回入賞することになるため、遊技者に対し払い出される払出枚数が１１２枚（１４×８＝１１２）となる。
また、このときの獲得枚数は、１ゲームに対しての賭け数が、例えば、１枚賭けのとき、８枚（１×８＝８）を払出枚数から減算した１０４枚（１１２−８＝１０４）となる。
【００４６】
一方、例えば、高設定が設定されているスロットマシン１では、レギュラーボーナス「ＲＢ」中に、ゲームが８回行われるうちの１回は、払出枚数が１５枚の小役に当選する可能性があるため、１４枚の小役に７回、１５枚の小役に１回それぞれ入賞すると、遊技者に払い出される払出枚数が１１３枚（１４×７＋１５＝１１３）となる。
また、このときの獲得枚数は、１ゲームに対しての賭け数が、例えば、１枚賭けのとき、８枚（１×８＝８）を払出枚数から減算した減算した１０５枚（１１３−８＝１０５）となる。
【００４７】
このように、その他の変形例では、レギュラーボーナス「ＲＢ」のみを搭載するスロットマシン１において、第１実施形態と同様、高設定（例えば、設定６）のときにのみ当選する小役を設けることで、設定値によって獲得枚数を異ならせることを実現している。
そして、制御部１０は、役抽選手段、獲得枚数制御手段として機能し、レギュラーボーナス「ＲＢ」中に、当選する確率が最も高い役（例えば、払出枚数が１４枚の小役）より払出枚数が多い役（例えば、払出枚数が１５枚の小役）に入賞することで、獲得枚数が多くなるように制御する。
【００４８】
そして、このような構成からなるスロットマシン１によれば、データ表示器２０と、ホールコンピュータ５０とをそれぞれ協働させることによって、遊技システムＳを構築することができる。
また、データ表示器２０などの表示装置にボーナス中に獲得した獲得枚数の最高値を表示することで、スロットマシン１に設定された設定値を示唆することができる。
以下、上述で説明したスロットマシン１を備える遊技システム及び設定値の示唆について説明する。
なお、スロットマシン１などの遊技機から出力される遊技信号に基づいて、遊技機に関する遊技情報を表示する表示装置としては、様々な種類のものがあるが、本実施形態の一例として、データ表示器２０を適用した場合について説明する。
【００４９】
［遊技システム］
図１１は、遊技システムＳを概略化した構成図であり、スロットマシン１と、データ表示器２０と、台コンピュータ３０と、島コンピュータ４０と、ホールコンピュータ５０と、遊技場表示装置６０とが、ネットワーク（例えば、ローカル・エリア・ネットワーク）を介してデータ通信可能に接続されている。
そして、スロットマシン１からデータ表示器２０に入力される遊技信号が、データ表示器２０を介して、台コンピュータ３０と島コンピュータ４０などの中継装置を中継して、ホールコンピュータ５０に入力されるようになっている。
図１２は、遊技システムＳの各装置間の信号の流れを示すブロック図である。
【００５０】
スロットマシン１は、遊技場内に機種ごとで纏められて設置されており、スロットマシン１の上方には、データ表示器２０が接続されている。
また、遊技場内には、スロットマシン１以外にもパチンコ機（不図示）なども設置されている。
【００５１】
スロットマシン１からは、図１２に示すように投入信号、払出信号、ボーナス信号及びスタート信号などの遊技信号がデータ表示器２０に出力される。
投入信号は、遊技媒体の投入枚数を示す信号であり、例えば、遊技球を用いるパチンコ機の場合、遊技球を１０玉発射するごとに出力される信号であり、一方、メダルを用いるスロットマシン１の場合、メダルを１枚投入すると、スタートレバー３の操作に応じて、出力される信号である。
【００５２】
払出信号は、遊技媒体の払出枚数を示す信号であり、例えば、パチンコ機の場合、入賞に応じて遊技球を１０玉払い出すごとに出力される信号であり、一方、スロットマシン１の場合、入賞に応じてメダルを１枚払い出すごとに出力される信号である。
【００５３】
ボーナス信号は、特別遊技状態中であることを示す信号であり、例えば、パチンコ機の場合、デジパチに搭載されている確変中又は時短中に出力される信号であり、一方、スロットマシン１の場合、ビックボーナス「ＢＢ」、レギュラーボーナス「ＲＢ」などのボーナス中に出力される信号である。
そのため、ボーナス信号が出力されないときは、通常遊技状態として特定することができる。
【００５４】
スタート信号は、１ゲームの実行を示す信号であり、例えば、パチンコ機の場合、始動口への入賞又は図柄変動により出力される信号であり、一方、スロットマシン１の場合、スタートレバー３を押下するごとに出力される信号である。
【００５５】
［データ表示器］
データ表示器２０は、このような遊技機から出力される遊技信号を受信するとともに、この遊技信号を台コンピュータ３０に送信する。
データ表示器２０は、遊技場に設置されるスロットマシン１などの遊技機に併設され、遊技信号を見やすいように数字やグラフを用いて、遊技者に有益な遊技情報として表示する。
また、データ表示器２０は、遊技情報を表示する以外にも、遊技中にトラブルなどが発生したことで、遊技者が呼出ボタン２０ａを押下するとその旨を遊技場の従業員及び周囲の遊技者に報知する。
【００５６】
次に、図１３を参照してデータ表示器２０のハードウエア構成について説明する。
データ表示器２０は、データ通信部２００と、発光部２１０と、音出力部２２０と、データ表示部２３０と、これらを制御するデータ制御部２４０とをそれぞれ備えて構成されている。
【００５７】
データ通信部２００は、スロットマシン１や遊技者に遊技媒体を貸し出す遊技媒体貸出機（不図示）から出力される遊技信号を受信するとともに、台コンピュータ３０を介して、この遊技信号をホールコンピュータ５０に送信する。
【００５８】
発光部２１０は、多色（ＲＧＢ）発光（フルカラー）のＬＥＤと、ＬＥＤの点灯や点滅を制御するＬＥＤドライバとを備え、データ制御部２４０は、このＬＥＤの点灯や点滅などを所定の発光態様で行うように制御する。
そして、発光部２１０は、所定の発光態様により制御されることで、ボーナス状態などの遊技状態やスロットマシン１で発生した異常状態を外部に報知することが可能になる。
また、発光部２１０は、データ表示器２０の周縁に配置され、ＬＥＤが発光する光を拡散するためにカット（例えば、ダイヤカット）された無色又は有色透明な樹脂カバーで覆われているため、どこから見ても色鮮やかに報知することができる構成となっている。
【００５９】
音出力部２２０は、例えば、スピーカ、ＰＣＭ音源、アンプなどを備え、データ制御部２４０からの指示に従い、スピーカなどを駆動することにより、効果音、音声などの音データを出力し、その出力態様によりボーナス状態、スロットマシン１で発生した異常状態を外部に報知することができる。
【００６０】
データ表示部２３０は、例えば、液晶表示器、液晶駆動用ドライバ、画像制御用プロセッサ（ＶＤＰなど）、ＶＲＡＭ、画像データを記憶した画像ＲＯＭなどを備え、データ制御部２４０からの指示に従い、遊技信号を、数字、文字及び図形などの文字情報に変換して液晶表示器に表示する。
また、データ表示部２３０は、遊技者によるタッチ操作を検出するタッチパネルからなり、所定の表示領域をタッチ操作することにより、データ表示部２３０に表示される表示内容の変更することができる。
また、所定の表示領域のタッチ操作により、数字や文字などの入力ができるテンキー画面が表示することができる。
遊技者は、データ表示部２３０の所定の表示領域をタッチ操作した後、このテンキー画面において、例えば、確認したい年月日を入力することで、所望の年月日の遊技情報を確認することができる構成になっている。
【００６１】
また、データ表示部２３０は、図１４及び図１５に示すように、複数の表示領域２３０ａ〜２３０ｅに区画され、各表示領域には、以下のような遊技情報がそれぞれ表示される。
【００６２】
データ表示部２３０の表示領域２３０ａには、例えば、本日、１日前、２日前におけるそれぞれのボーナス状態の発生回数が表示される。
すなわち、ビックボーナス「ＢＢ」、レギュラーボーナス「ＲＢ」のボーナス信号の入力数がそれぞれ表示される。
【００６３】
表示領域２３０ｂには、本日における開店時から現時点までに行われた累計のゲーム数が表示され、例えば、パチンコ機の場合、始動口への入賞又は図柄変動が１ゲームとして扱われるため、スタート信号の入力数が表示される。
一方、スロットマシン１の場合、投入信号の入力数によりゲーム数が確認できるため、投入信号の入力数が表示される。
【００６４】
表示領域２３０ｃには、ボーナス後から何ゲーム経過しているか（１回もボーナスに当選していない場合は、開店時からのゲーム数）が表示される。
すなわち、ボーナス信号がオンからオフに変化した後で、例えば、パチンコ機の場合、スタート信号の入力数が表示され、一方、スロットマシン１の場合、投入信号の入力数が表示される。
【００６５】
表示領域２３０ｄには、例えば、本日、１日前、２日前におけるそれぞれのボーナス中に遊技者が獲得した最高獲得枚数が表示される。
ここで表示される獲得枚数とは、ボーナス中に遊技者に払い出された払出枚数から遊技に投入された投入枚数を減算した枚数の純増枚数のことをいい、最高獲得枚数とは、ボーナスごとの獲得枚数の最高値のことである。
すなわち、ボーナス信号が出力されている間における払出信号の入力数から投入信号の入力数を減算した値の最高値が表示される。
【００６６】
また、表示領域２３０ｄには、図１５に示すように、最高獲得枚数以外にも、最高払出枚数を表示するようにしても良い。
ここで表示される払出枚数とは、ボーナス中に遊技者に払い出される払出枚数のことをいい、遊技に投入された投入枚数を減算する前の枚数で、最高払出枚数とは、ボーナスごとの払出枚数の最高値のことである。
すなわち、ボーナス信号が出力されている間における払出信号の入力数の最高値が表示される。
【００６７】
表示領域２３０ｅには、例えば、本日、１日前、２日前における累計の獲得枚数がグラフを用いて視認し易いように表示される。
すなわち、日ごと（但し、本日の場合は、開店時から現時点まで）で、ボーナス信号が出力されている間における払出信号の入力数から投入信号の入力数を減算した値の累計値が表示される。
【００６８】
また、表示領域２３０ｅには、図１５に示すように、累計の獲得枚数以外にも、累計の払出枚数を表示するようにしても良い。
すなわち、日ごと（但し、本日の場合は、開店時から現時点まで）で、ボーナス信号が出力されている間における払出信号の入力数の累計値が表示される。
【００６９】
本実施形態におけるスロットマシン１では、このような遊技情報をデータ表示器２０に表示することで、スロットマシン１に設定されている設定値を示唆することができる。
具体的には、表示領域２３０ｄに示すボーナスごとの獲得枚数の最高値をデータ表示器２０に表示することで、遊技者に対して高設定の設定値が設定されていることを示唆することができる。
例えば、上述で説明した通り、２３９枚を超える払い出し枚数になった後に終了するビックボーナス「ＢＢ」において、２枚賭けで払出枚数が１２枚の小役で消化し、高設定が設定されているスロットマシン１のみに払出枚数が１３枚の小役が含まれているとする。
このとき、低設定では、２０回のゲームで４０枚のメダルを投入したとき、払出枚数が２４０枚（２０×１２＝２４０）となり、獲得枚数は、２００枚（２４０−４０＝２００）となる。
一方、高設定では、２０回のゲームのうち、１回だけ払出枚数が１３枚の小役が入賞すると、払出枚数が２４１枚（１９×１２＋１３＝２４１）となり、獲得枚数は、２０１枚（２４１−４０＝２０１）となる。
従って、データ表示器２０に表示される最高獲得枚数が、２０１枚のとき、遊技者に対し、高設定であることを示唆しながら遊技を行なわせることができる。
【００７０】
なお、データ表示器２０に表示される遊技情報としては、最高獲得枚数だけでなく、最高払出枚数でも、高設定に設定されている場合の方が、低設定が設定されている場合と比べて多くなるため、遊技者に対して高設定の設定値が設定されていることを示唆することができる。
さらに、図１４及び図１５の表示領域２３０ｅに示す「累計獲得枚数」及び「累計払出枚数」でもスロットマシン１に設定されている設定値を示唆することができ、高設定が設定されている場合の方が、低設定が設定されている場合と比べ、累計した獲得枚数及び累計した払出枚数がともに多くなるため、遊技者に対して高設定の設定値が設定されていることを示唆することができる。
【００７１】
また、本実施形態におけるデータ表示器２０は、履歴ボタン２０ｂを押下することにより、データ制御部２４０の記憶手段（例えば、不揮発性ＲＯＭなど）に記憶された過去の最高獲得枚数を表示することができる構成になっている。
【００７２】
ここで、データ制御部２４０の記憶手段について説明する。
本実施形態におけるデータ制御部２４０の記憶手段は、第１記憶領域と、第２記憶領域との２つの記憶領域を有する。
第１記憶領域は、ボーナスごとの獲得枚数の最高値を記憶する領域であり、最高獲得枚数が更新されるたびに記憶される。
例えば、第１記憶領域に、最高獲得枚数として２００枚が記憶されている場合に、新たに２００枚より多い２０１枚のメダルを遊技者が獲得すると、第１記憶領域には、２００枚が記憶された記憶領域に、２０１枚を記憶することになる。
【００７３】
これに対し、第２記憶領域は、遊技情報を記憶する領域であり、例えば、ボーナスの発生回数（ビックボーナス「ＢＢ」回数、レギュラーボーナス「ＲＢ」回数）や獲得枚数などが記憶される。
この第２記憶領域に記憶された遊技情報は、所定の日にち（例えば、７日）ごとに更新され記憶される。
例えば、所定の日にちを７日としたとき、１日前〜７日前までの７日分の遊技情報がそれぞれ記憶されている場合、本日の遊技場の営業が終了すると、最先のデータである７日前の遊技情報を記憶した記憶領域に、本日の遊技情報が更新され、これにより記憶手段は、７日前の遊技情報を消去するとともに本日の遊技情報を新たに記憶することになる。
【００７４】
このように第２記憶領域は、所定の日にちごとに更新して記憶されるが、第１記憶領域は、ボーナスごとの獲得枚数の最高値が更新されるたびに記憶されることになる。
従って、第１記憶領域に記憶されるボーナスごとの獲得枚数の最高値に関する情報は、第２記憶領域に記憶される遊技情報とは、異なる消去条件で更新されることになる。
【００７５】
図１６（ａ）、（ｂ）は、過去の最高獲得枚数の履歴を表示する画面であり、表示領域２３０ｆ及び表示領域２３０ｇに区画されて表示される画面である。
データ表示部２３０の表示領域２３０ｆには、例えば、第２記憶領域に記憶された１日前から７日前までの期間におけるボーナスごとの獲得枚数の最高値がグラフで表示されている。
図１６（ａ）、（ｂ）に示す一例では、例えば、２００枚を基準として、獲得枚数の増減を日ごとでグラフ表示しており、１日前から７日前までは、全て２００枚であり、高設定が設定されたことを示唆する獲得枚数である２０１枚の履歴が無いことを示している。
【００７６】
さらに、表示領域２３０ｇには、データ制御部２４０の第１記憶領域が記憶しているボーナスごとの過去最高獲得枚数が表示される。
すなわち、日ごとではなく、以前に消去条件が成立してから本日までの間で、ボーナス信号が出力されている間における払出信号の入力数から投入信号の入力数を減算した値の最高値が表示される。
【００７７】
以下、過去最高獲得枚数について図１６（ａ）、（ｂ）を参照しながら説明する。
図１６（ａ）は、過去に高設定が設定されたことを示すデータ表示部２３０の一例であり、表示領域２３０ｇには、過去最高獲得枚数として、２０１枚が表示されている。
そのため、遊技者は、以前に消去条件が成立してから本日までの間におけるボーナスごとの最高獲得枚数は、２０１枚であることを認識することができ、データ表示器２０に対応するスロットマシン１において、過去に高設定が設定されたことの実績を一目で確認できる。
従って、図１６（ａ）では、表示領域２３０ｆに示す１日前から７日前までの期間の最高獲得枚数が、全て２００枚であることが表示され、高設定が設定されたことを示唆する２０１枚の獲得枚数が表示されていないが、以前に消去条件が成立してから本日までの間で高設定が設定されていれば、表示領域２３０ｇの過去最高獲得枚数には、２０１枚が表示されることになる。
すなわち、以前に消去条件が成立してから本日までの間で、遊技者が１回でも高設定が設定されたことを示唆する２０１枚のメダルを獲得すれば、表示領域２３０ｇの過去最高獲得枚数には、２０１枚が表示されることになる。
【００７８】
一方、図１６（ｂ）は、過去に高設定が設定されていないことを示すデータ表示部２３０の一例であり、過去最高獲得枚数として、２００枚が表示されている。
そのため、以前に消去条件が成立してから本日までの間に高設定が設定されていない可能性が高いことを遊技者が認識することができる。
【００７９】
このような過去最高獲得枚数を表示することで、データ表示器２０に対応するスロットマシン１において、過去に高設定が投入されたか否かを、容易に確認できるようになる。
そして、遊技者は、このような最高獲得枚数の履歴画面を確認することで、高設定の投入実績を予想することができ、一方、遊技場の管理者は、遊技者に還元する意思のある遊技場（優良店）であることを、遊技者に対してアピールすることができる。
【００８０】
［ホールコンピュータ］
ホールコンピュータ５０は、遊技場の管理者が操作可能な場所、例えば、カウンター奥の管理室などに設置されている遊技用装置である。
ホールコンピュータ５０は、遊技場内に設置されている複数のスロットマシン１やパチンコ機などの遊技機から、これらの稼動に伴って出力される遊技信号（例えば、投入信号、払出信号、ボーナス信号、スタート信号など）を収集し、記憶及び管理する。
また、この収集した遊技信号を集計し、遊技機ごとの獲得枚数、払出枚数、ボーナス状態の発生回数などの遊技情報を計数する。
そして、ホールコンピュータ５０は、これらの遊技情報を遊技場表示装置６０に送信する。
【００８１】
従って、ホールコンピュータ５０においても、データ表示器２０に表示する遊技情報（例えば、ボーナスごとの獲得枚数や払出枚数）を表示することができる。
なお、ホールコンピュータ５０においても、データ表示器２０と同様に、記憶手段に第１記憶手段及び第２記憶手段を有し、所定の消去条件を設定する構成としても良い。
【００８２】
［遊技場表示装置］
遊技場表示装置６０は、ホールコンピュータ５０において、記憶及び管理されている遊技情報などを定期的に受信することで、液晶表示器などで構成される表示部６００にその遊技情報を表示し、遊技者に閲覧させる表示装置である。
具体的には、遊技場表示装置６０は、遊技場の出入口や遊技機の設置される遊技島の島端などに設けられ、遊技者が遊技機を選択する際に役立つ遊技情報を提供するとともに、キャンペーンなどの他の有用な情報を提供する。
また、遊技場表示装置６０は、遊技場内の遊技機を管理するホールコンピュータ５０から遊技情報を受信するため、複数の遊技機の遊技情報を表示することができ、遊技者は、確認したい台番号又は機種を指定して本日や過去の遊技情報（ボーナス状態の発生回数、累計ゲーム数、ボーナス後のゲーム数など）を閲覧することができる。
また、遊技場表示装置６０は、図１７に示すようにデータ表示器２０に表示される獲得枚数に関する情報（例えば、最高獲得枚数、過去最高獲得枚数）なども表示することができるため、データ表示器２０と同様に、本発明の表示装置として機能することができる。
なお、遊技場表示装置６０が、遊技場内に設置されている複数のスロットマシン１やパチンコ機などの遊技機から、出力される遊技信号を収集し、記憶及び管理する機能を備える構成としても良い。
【００８３】
以上のように、本発明の実施形態に係る遊技機によれば、通常遊技状態より遊技者に有利な特別遊技状態中に遊技者が獲得する獲得枚数を、設定された設定値によって異なるように制御する獲得枚数制御手段を備えるため、遊技者の期待感を継続させ、ゲーム性の向上を図ることができる。
。
その結果、管理者が遊技者に還元する意思のある遊技場（優良店）であることを、遊技者に対してアピールすることが可能になるため、より効果的に遊技者の集客力を高め稼働率の向上が期待できる。
【００８４】
一方、従来の遊技機では、特許文献１に開示されているように、本発明のような高設定の場合にだけ当選する特定の払出枚数の入賞役を備えていないため、各遊技機に設置されるデータ表示器などの払出枚数の表示によって、高設定であることを示唆することができなかった。
本発明の遊技機によれば、従来の遊技機が改善すべきこのような課題の全部又は一部を解決することができる。
【００８５】
以上、本発明の遊技機の好ましい実施形態について説明したが、本発明に係る遊技機は上述した実施形態にのみに限定されるものではなく、本発明の範囲で種々の変更実施が可能である。
例えば、本実施形態では、本発明をスロットマシン１に適用して説明したが、これに限るものではなく、例えば、設定値を設定できる設定機能付きパチンコ機など、その他の遊技機にも適用することができる。
また、メダル、遊技球などの現物の遊技媒体を用いることなく、データ形式の擬似遊技媒体を用いてゲームを行う、いわゆる封入式遊技機にも適用することができる。
また、ボーナスのみのスロットマシン１を例にして説明したが、これに限るものではなく、例えば、ボーナスと再遊技役の当選確率の高いＲＴ遊技状態を有するスロットマシン１、ボーナスと小役などの入賞をアシストするＡＴ遊技状態を有するスロットマシン１又はボーナスとこのようなＲＴ遊技状態とＡＴ遊技状態とが組み合わされたＡＲＴ遊技状態を有するスロットマシン１などにも適用することができる。
また、制御部１０がボーナス中の小役又はジャックゲームを用いて、高設定に設定されている場合に獲得枚数が多くなるように制御することを説明したが、これに限るものではなく、例えば、高設定の場合には、ボーナス中の終了条件となる払出枚数の設定枚数を多くすることで、高設定の場合に獲得枚数が多くなるように制御しても良い。
また、制御部１０は、ＡＴ、ＡＲＴなどをボーナスに見立てる、いわゆる疑似ボーナスを用いて、高設定に設定されている場合に低設定に設定されている場合より、獲得枚数が多くなるように制御しても良い。
【符号の説明】
【００８６】
１  スロットマシン（遊技機）
１０  制御部（役抽選手段、設定値設定手段、遊技状態制御手段、獲得枚数計数手段、獲得枚数制御手段）
１５  設定キースイッチ（設定値設定手段）
２０    データ表示器（表示装置）
３０  台コンピュータ
４０  島コンピュータ
５０  ホールコンピュータ（遊技用装置）
６０  遊技場表示装置（表示装置）
Ｓ  遊技システム
【図１】
2020137692.tif 000003
【図２】
2020137692.tif 000004
【図３】
2020137692.tif 000005
【図４】
2020137692.tif 000006
【図５】
2020137692.tif 000007
【図６】
2020137692.tif 000008
【図７】
2020137692.tif 000009
【図８】
2020137692.tif 000010
【図９】
2020137692.tif 000011
【図１０】
2020137692.tif 000012
【図１１】
2020137692.tif 000013
【図１２】
2020137692.tif 000014
【図１３】
2020137692.tif 000015
【図１４】
2020137692.tif 000016
【図１５】
2020137692.tif 000017
【図１６】
2020137692.tif 000018
【図１７】
2020137692.tif 000019